(57)【要約】      （修正有）【課題】薬剤入りのバイアル等の包装に好適な収容物ホルダを得ることができ、組み立て作業も容易な収容物ホルダ付き包装箱を提供する。【解決手段】箱体形成片１２は、収容物ホルダ分離用破断線８２を介して互いに連続する外箱形成部１２ａと収容物ホルダ形成部１２ｂとを備える。外箱形成部１２ａは、糊付け片２２と外箱側面板１４，１６，１８，２０とで外箱の側面となる筒体を形成する。収容物ホルダ形成部１２ｂは、２つの主折罫線８４，８６が折り曲げられて、第一の側面板７８、支持板８０、第二の側面板７６の順に重なって筒体に中に納まり、第一の糊付け部９６が第一の側面板７８に糊付けされ、第二の糊付け部９８が第二の側面板７６に糊付けされて収容物ホルダを形成する。収容物ホルダは、包装体分離用破断線８２を破断させることによって、外箱の外に取り出すことができる。【選択図】図２
0003218045.tif 000002
【実用新案登録請求の範囲】
【請求項１】
収容物ホルダ分離用破断線を介して互いに連続する外箱形成部と収容物ホルダ形成部とを備えた１枚の箱体形成片から成り、
前記外箱形成部には、互いに平行に連接された複数の外箱側面板と、前記複数の側面板の中の片端に位置する側面板の端部に延設された糊付け片とが設けられ、
前記収容物ホルダ形成部には、一列に連接された第一の側面板、第二の側面板、及び支持板が設けられ、前記収容物ホルダ形成部の前記３つの板は、互いに平行な２つの主折罫線で区切られ、前記支持板の内側は、前記主折罫線と平行な２つの副折罫線によって、両端に位置する第一の糊付け部及び第二の糊付け部と、これらに挟まれた収容物支持部とに区切られ、
組み立て状態で、
外箱形成部は、前記糊付け片が前記複数の外箱側面板の中の１つの裏面に糊付けされ、前記複数の外箱側面板で外箱の側面となる筒体を形成し、
前記収容物ホルダ形成部は、前記２つの主折罫線が折り曲げられて、前記第一の側面板、前記支持板、前記第二の側面板の順に重なって前記筒体に中に納まり、前記第一の糊付け部が前記第一の側面板に糊付けされ、前記第二の糊付け部が前記第二の側面板に糊付けされて収容物ホルダを形成し、
前記収容物ホルダの前記２つの主折罫線を接近させて前記第一及び第二の側面板を各々外向きに湾曲させる操作により前記２つの副折罫線が折れ曲がり、前記収容物支持部が前記第一及び第二側面板と交差する位置に移動することによって、前記収容物支持部の上方に、前記第一及び第二の側面板と前記収容物支持部とで囲まれた収容空間が形成され、中に収容物を入れることができ、
前記収容物ホルダは、前記包装体分離用破断線を破断させることによって、前記外箱の外に取り出すことができることを特徴とする収容物ホルダ付き包装箱。
【請求項２】
組み立て状態で、前記収容物が前記収容空間に入れられると、前記収容物ホルダは、前記主折罫線がある２つの側端部のうち、片方の側端部が、収容物ホルダ分離用破断線を介して前記糊付け片の先端部に保持され、反対側の側端部が、前記筒体の、前記糊付け片がある角部と対角に位置する角部の内面にガイドされ、当該角部の近傍に配置される請求項１記載の収容物ホルダ付き包装箱。
【請求項３】
前記第一及び第二の側面板の内側に、前記主折罫線と平行な第一の補助折罫線が各々設けられ、
組み立て状態で、前記収容物ホルダの前記２つの主折罫線を接近させて前記第一及び第二の側面板を各々外向きに湾曲させる操作が行われると、前記第一の補助折罫線が折れ曲がり、前記第一及び第二の側面板が断面平行四辺形状に湾曲する請求項１又は２記載の収容物ホルダ付き包装箱。
【考案の詳細な説明】
【技術分野】
【０００１】
本考案は、瓶等の収容物を緩衝的に保護する収容物ホルダを備えた収容物ホルダ付き包装箱に関する。
【背景技術】
【０００２】
従来、特許文献１に開示されているように、外箱と、瓶等の収容物を緩衝的に保持するための緩衝機能付き包装体と、緩衝機能付き包装体が内部に収容される外箱とで構成された包装箱があった。緩衝機能付き包装体は、左右の側端部が互いに接続された２つの側面板を有し、これらを各々外向きに湾曲させると内側に収容空間が形成され、収容物が入れられる。そして、外箱内に緩衝機能付き包装体が収容されると、衝機能付き包装体の左右の側端部が、外箱の対角に位置する一対の角部の内面にガイドされ、位置決めされる。
【先行技術文献】
【特許文献】
【０００３】
【特許文献１】実用新案登録３２１２１３３号公報
【考案の概要】
【考案が解決しようとする課題】
【０００４】
特許文献１の包装箱の場合、外箱と緩衝機能付き包装体とが別体なので、組み立て作業が煩雑で、部材管理にも手間が掛かる。また、例えば、収容物が薬剤入りのバイアル等の場合は、使用上の注意事項や使用方法が記載された書類も外箱内に収容する必要があるが、特許文献１の包装箱は、外箱内に緩衝機能付き包装体が収納されると、外箱内と緩衝機能付き包装体との隙間が狭くなるので、書類のべージ数が多いと入れにくいという問題があった。
【０００５】
本考案は、上記背景技術に鑑みて成されたものであり、薬剤入りのバイアル等の包装に好適な収容物ホルダを得ることができ、組み立て作業も容易な収容物ホルダ付き包装箱を提供することを目的とする。
【課題を解決するための手段】
【０００６】
本考案は、収容物ホルダ分離用破断線を介して互いに連続する外箱形成部と収容物ホルダ形成部とを備えた１枚の箱体形成片から成り、前記外箱形成部には、互いに平行に連接された複数の外箱側面板と、前記複数の側面板の中の片端に位置する側面板の端部に延設された糊付け片とが設けられ、前記収容物ホルダ形成部には、一列に連接された第一の側面板、第二の側面板、及び支持板が設けられ、前記収容物ホルダ形成部の３つの板は、互いに平行な２つの主折罫線で区切られ、前記支持板の内側は、前記主折罫線と平行な２つの副折罫線によって、両端に位置する第一の糊付け部及び第二の糊付け部と、これらに挟まれた収容物支持部とに区切られ、
組み立て状態で、外箱形成部は、前記糊付け片が前記複数の外箱側面板の中の１つの裏面に糊付けされ、前記複数の外箱側面板で外箱の側面となる筒体を形成し、前記収容物ホルダ形成部は、前記２つの主折罫線が折り曲げられて、前記第一の側面板、前記支持板、前記第二の側面板の順に重なって前記筒体に中に納まり、前記第一の糊付け部が前記第一の側面板に糊付けされ、前記第二の糊付け部が前記第二の側面板に糊付けされて収容物ホルダを形成し、
前記収容物ホルダの前記２つの主折罫線を接近させて前記第一及び第二の側面板を各々外向きに湾曲させる操作により前記２つの副折罫線が折れ曲がり、前記収容物支持部が前記第一及び第二側面板と交差する位置に移動することによって、前記収容物支持部の上方に、前記第一及び第二の側面板と前記収容物支持部とで囲まれた収容空間が形成され、中に収容物を入れることができ、前記収容物ホルダは、前記包装体分離用破断線を破断させることによって、前記外箱の外に取り出すことができる収容物ホルダ付き包装箱である。
【０００７】
組み立て状態で、前記収容物が前記収容空間に入れられると、前記収容物ホルダは、前記主折罫線がある２つの側端部のうち、片方の側端部が、収容物ホルダ分離用破断線を介して前記糊付け片の先端部に保持され、反対側の側端部が、前記筒体の、前記糊付け片がある角部と対角に位置する角部の内面にガイドされ、当該角部の近傍に配置される構成にすることが好ましい。
【０００８】
また、前記第一及び第二の側面板の内側に、前記主折罫線と平行な第一の補助折罫線が各々設けられ、組み立て状態で、前記収容物ホルダの前記２つの主折罫線を接近させて前記第一及び第二の側面板を各々外向きに湾曲させる操作が行われると、前記第一の補助折罫線が折れ曲がり、前記第一及び第二の側面板が断面平行四辺形状に湾曲する構成にすることが好ましい。
【考案の効果】
【０００９】
本考案の収容物ホルダ付き包装箱は、１枚の箱体形成片から形成されるので、組み立てが容易であり、部材管理の手間も軽減される。また、外箱内の収容物ホルダが緩衝機能を有しているので、輸送中にバイアル等の収容物が破損しにくい。
【００１０】
収容物の使用者は、収容物ホルダ分離用破断線を破断させることによって、収容物ホルダを外箱から簡単に取り出すことができ、収容物を収容物ホルダに装着してコンパクト且つ安全に携帯することができる。
【図面の簡単な説明】
【００１１】
【図１】本考案の収容物ホルダ付き包装箱の一実施形態の組み立て状態を示す斜視図（ａ）、収容物の外観を示す斜視図（ｂ）である。
【図２】この実施形態の収容物ホルダ付き包装箱を形成する箱体形成片を裏面側から見た展開図である。
【図３】この実施形態の収容物ホルダ付き包装箱の組み立て工程を順に示す図（ａ）、（ｂ）である。
【図４】この実施形態の収容物ホルダ付き包装箱の組み立て工程を順に示す図（ａ）、（ｂ）である。
【図５】立体的に形成された外箱の内部を蓋片側から見た図であって、収容物を中に収容する操作を順に示す図（ａ）、（ｂ）である。
【図６】収容物が収容された状態を示す斜視図（外箱を透視した斜視図）である。
【図７】この実施形態の収容物ホルダ付き包装箱の開封状態を示す斜視図である。
【図８】この実施形態の収容物ホルダ付き包装箱を開封した後、外箱から収容物ホルダ及び収容物を取り出した状態を示す斜視図である。
【考案を実施するための形態】
【００１２】
以下、本考案の収容物ホルダ付き包装箱の一実施形態について、図面に基づいて説明する。この実施形態の収容物ホルダ付き包装箱１０は、図１（ａ）、（ｂ）に示すように、外形が略直方体の箱であり、例えば、薬剤入りのバイアル（収容物Ｓ１）と、薬剤の使用方法や注意事項が記載された書類（収容物Ｓ２）の包装に使用される。
【００１３】
収容物ホルダ付き包装箱１０は、厚紙等で成る１枚の箱体形成片１２を組み立てることによって形成される。箱体形成片１２は、図２に示すように、互いに連続する外箱形成部１２ａと収容物ホルダ形成部１２ｂとを有している。外箱形成部１２ａは、組み立てられて外箱１２Ａになる部分であり、収容物ホルダ形成部１２ｂは、組み立てられて収容物ホルダ１２Ｂになる部分である。
【００１４】
外箱形成部１２ａは、互いに平行に連接された４つの外箱側面板１４，１６，１８，２０を有している。外箱側面板１４，１６，１８，２０は、連接方向と直交する幅方向の長さが同じであり、連接方向の長さは、外箱側面板１４，１８が少し短くて互いにほぼ等しく、外箱側面板１６，２０が少し長くて互いにほぼ等しい。さらに、外箱側面板２０側の端部には、組み立て状態で外箱側面板１４の端部の裏面に糊付けされる糊付け片２２が延設されている。糊付け片２２の延出長さは、外箱側面板１４，１８の連接方向長さの約1/3であり、その先端部に収容物ホルダ形成部１２ｂが連続している。４つの外箱側面板１４，１６，１８，２０と糊付け片２２とは、各々折罫線２４，２６，２８，３０で区切られている。
【００１５】
外箱側面板１４の、連接方向に対して直角方向の一端部には、台形状のサイドフラップ３２が延設され、折罫線３４で外箱側面板１４と区切られている。反対側の端部にも、ほぼ同形状のサイドフラップ３６が延設され、折罫線３８で外箱側面板１４と区切られている。
【００１６】
外箱側面板１６の、サイドフラップ３２側の端部には、先端部が幅広になった舌片状の係合片４０が切り込み線によって形成され、係合片４０の基端部がＵ字状の開封用破断線４２に囲まれた押圧部４４に連続している。開封用破断線４２は、収容物ホルダ付き包装箱１０を開封する時、係合片４０及び押圧部４４を外箱側面板１６から分離させるための破断線である。外箱側面板１６の、サイドフラップ３６側の端部には、折罫線２４，２６の各端部から内向きに膨出した円弧状の解体用破断線４６によって囲まれた押圧部４８が設けられている。解体用破断線４６は、収容物ホルダ付き包装箱１０を解体する時、押圧部４８を外箱側面板１６から分離させるための破断線である。
【００１７】
外箱側面板１８の、係合片４０側の端部には、台形状のサイドフラップ５０が延設され、折罫線５２で外箱側面板１８と区切られている。反対側の端部にも、ほぼ同形状のサイドフラップ５４が延設され、折罫線５６で外箱側面板１８と区切られている。
【００１８】
外箱側面板２０の、サイドフラップ５０側の端部には、略四角形の蓋片５８が延設され、折罫線６０で外箱側面板２０と区切られている。蓋片５８の延出長さは、外箱側面板１４，１８の連接方向長さとほぼ同じである。さらに、蓋片５８の先端部には、差し込み片６２が延設され、折罫線６４で蓋片５８と区切られている。差し込み片６２は、先端側の両角部が丸く面取りされ、内側に、係合片４０が差し込まれて係合する係合受け部６６が切り込み線により形成されている。係合受け部６６は、一旦係合片４０が差し込まれると、係合片４０を破損させない限りは引き抜くことが困難な形状になっている。
【００１９】
外箱側面板２０の、サイドフラップ５４側の端部には、蓋片５８とほぼ同形状の底片６８が延設され、折罫線７０で外箱側面板２０と区切られている。さらに、底片６８の先端部には、差し込み片７２が延設され、折罫線７４で底片６８と区切られている。
【００２０】
収容物ホルダ形成部１２ｂは、左側から順番に第二の側面板７６、第一の側面板７８、支持板８０が一列に連接されている部分であり、第二の側面板７６側の端部が、糊付け片２２の先端部に連続し、折罫線３０と平行な収容物ホルダ分離用破断線８２によって糊付け片２２と区切られている。第二の側面板７６、第一の側面板７８及び支持板８０は、収容物ホルダ分離法破断線８２と平行な２つの主折罫線８４，８６によって各々区切られており、各板の連接方向長さは互いにほぼ等しく、外箱側面板１６，２０の連接方向長さの約1.2倍に設定されている。
【００２１】
第二の側面板７６は、外形が略正方形で、その下側端辺が外箱側面板２０の折罫線７０を延長した線よりも僅かに上側になるように配置されている。そして、内側に、収容物ホルダ分離用破断線８２及び主折罫線８４と平行な第一の補助折罫線８８が設けられている。第一の補助折罫線８８の位置は、主折罫線８４よりも収容物ホルダ分離用破断線８２に近い。
【００２２】
第一の側面板７８は、長方形の上端を円弧状に膨出させた外形で、その下側端辺が第二の側面板７６の下側端辺とほぼ直線的に連続している。そして、内側に、主折罫線８４，８６と平行な第一の補助折罫線９０が設けられている。第一の補助折罫線９０の位置は、主折罫線８６よりも主折罫線８４に近い。また、円弧状に膨出した部分の基端部に、下向き円弧状の第二の補助折罫線９２が設けられ、本体部分７８ａと上端部分７８ｂとに区切られている。第一の側面板７８の上端部分７８ｂは、外箱側面板２０の折罫線６０を延長した線よりも上側に突出するが、本体部分７８ａはこの線の下側に収まる。
【００２３】
支持板８０は、外形が略Ｕ字状で、その下側端辺が第一の側面板７８の下側端辺とほぼ直線的に連続している。また、支持板８０の内側は、主折罫線８４，８６と平行な２つの副折罫線９２，９４によって、第一の側面板７８から離れた方の端部である第一の糊付け部９６と、反対側の端部である第二の糊付け部９８と、２つの糊付け部９６，９８に挟まれた収容物支持部１００とに区切られている。
【００２４】
第一の糊付け部９６の形状は上下方向に長い略長方形で、上下方向の長さが第二の側面板７６の約3/5である。第二の糊付け部９８の形状は上下方向に長い略長方形で、上下方向の長さが第二の側面板７６とほぼ等しい。収容物支持部１００の形状は左右方向に長い略長方形で、上下方向の長さが第二の側面板７６の約1/5である。
【００２５】
次に、収容物ホルダ付き包装箱１０の組み立て方法の一例を説明する。図２は箱体形成片１２を裏面側から見た展開図であり、以下、箱体形成片１２の表面が凸になる折り方を正折り、裏面が凸になる折り方を逆折りと称する。
【００２６】
まず、図３（ａ）に示すように、第一の糊付け部９６の裏面に糊１０２を塗布し、主折罫線８６を正折りして支持板８０を第一の側面板７８の裏面に重ね、第一の側面板７８の側端部に第一の糊付け部９６を糊付けする。さらに、第二の糊付け部９８の表面に糊１０４を塗布し、主折罫線８４を正折りして支持板８０を第二の側面板７６の表面に重ね、第二の側面板７６の側端部に第二の糊付け部９８を糊付けする。これで、図３（ｂ）に示すように、第一の側面板７８、支持板８０、第二の側面板７６が順番に重なった折り畳み状態となり、収容物ホルダ形成部１２ｂによって収容物ホルダ１２Ｂが形成される。
【００２７】
その後、図４（ａ）に示すように折罫線３０を正折りして収容物ホルダ１２Ｂ及び糊付け片２２を外箱側面板１８，２０の裏面に重ね、糊付け片２２の表面に糊１０６を塗布する。そして、折罫線２６を正折りして外箱側面板１４，１６を収容物ホルダ１２Ｂ及び糊付け片２２に重ね、外箱側面板１４の側端部に糊付け片２２を糊付けする。これで、図４（ｂ）に示す折り畳み状態となり、収容物ホルダ付き包装箱１０を製造する工場等から出荷される。
【００２８】
次に収容物Ｓ１，Ｓ２を包装する工場等において、立体的な外箱１２Ａを形成するため、折罫線２４，２６，２８，３０を各々９０度に正折りし、外箱側面板１４，１６，１８，２０及び糊付け片２２で四角形の筒体を形成する。そして、筒体の一端部を閉鎖する底部を設けるため、折罫線３８，５６でサイドフラップ３６，５４を各々９０度に正折りし、差し込み片７２の表面に糊を塗布した後、折罫線７４を９０度に正折りして差し込み片７２を倒し、折罫線７０を９０度に正折りして底片６８で筒体の端部を塞ぎ、差し込み片７２をサイドフラップ３６，５４と外箱側面板１６の隙間に差し込み、差し込み片７２を外箱側面板１６の押圧部４８の裏面に糊付けする。これで底部が形成される。
【００２９】
この状態で、収容物ホルダ１２Ｂは、図５（ａ）に示すように、外箱側面板１４，１６，１８，２０で成る筒体の内側に、折り畳み状態で収容される。収容物ホルダ分離法破断線８２が鈍角に正折りされているのは、四角形の筒体を形成する操作を行う時に外箱側面板１６に押されるためである。
【００３０】
次に、作業者が、折り畳み状態の収容物ホルダ１２Ｂを立体的に変形させて収容物Ｓ１を収容する操作を行う。まず、収容物ホルダ１２Ｂの２つの主折罫線８４，８６を接近させるように力を加え、第一及び第二の側面板７８，７６を各々外向きに湾曲させる操作を行う。すると、第一の補助折罫線８８，９０が自動的に折れ曲がり（両方とも正折り）、第一及び第二の側面板７８，７６がスムーズに断面平行四辺形状に湾曲する。また、副折罫線９２，９４も自動的に折れ曲がり（副折罫線９２が正折り、副折罫線９４が逆折り）、収容物支持部１００が第一及び第二側面板７８，７６に対して交差する位置に移動する。
【００３１】
これで、収容物支持部１００の上方に、第一及び第二の側面板７８，７６と収容物支持部１００とで囲まれた収容空間が形成されるので、中に収容物Ｓ１を入れ、収容物Ｓ１の底部を収容物支持部３４の上端部に支持させる。その後、第一及び第二の側面板７８，７６を湾曲させる操作を止めると、収容物ホルダ１２Ｂが平坦な折り畳み状態に戻ろうとするので、収容物Ｓ１の側面が第一の側面板７８の本体部７８ａと第二の側面板７６との間に挟持され、図５（ｂ）に示す状態になる。
【００３２】
この状態で、収容物ホルダ１２Ｂの、収容物ホルダ分離用破断線８２及び主折罫線８６側の側端部は、糊付け片２２の先端部に連続しているので、外箱側面板２０から少し離れた位置に保持され、主折罫線８４側の側端部は、外箱１２Ａの折罫線２６がある角部（糊付け片２２がある角部と対角に位置する角部）にガイドされ、この角部の近傍に配置される。外箱側面板２０と第一の側面板７８との間は、収容物Ｓ２を収容するための空間であり、収容物Ｓ２を無理なくスムーズに入れることができる。
【００３３】
その後、図６に示すように、第一の側面板７８の第二の補助折罫線９２を正折りし、上端部分７８ｂを倒して収容物Ｓ１の上方を塞ぐ。このとき、第一の補助折罫線９０が逆折り状に屈曲し、湾曲した副折罫線９２で容易に上端部分７８ｂを倒すことができる。これで、収容物ホルダ１２Ｂ全体が外箱１２Ａの筒体の中に収容される。
【００３４】
収容物ホルダ１２Ｂが筒体の中に収容されると、蓋部を設けるため、折罫線３４，５２でサイドフラップ３２，５０を各々９０度に正折りし、折罫線６４を９０度に正折りして差し込み片６２を倒し、折罫線６０を９０度に正折りして蓋片５８で筒体の端部を塞ぎ、差し込み片６２をサイドフラップ３２，５５と外箱側面板１６の隙間に差し込み、係合受け部６６の中に係合部４０を差し込んで係合させると、改ざん防止機能付きの蓋部が形成される。これで、図１（ａ）に示す組み立て状態となり、収容物Ｓ１，Ｓ２が収容物ホルダ付き包装箱１０ととともに出荷される。
【００３５】
このように、収容物ホルダ付き包装箱１０は、薬剤入りのバイアル等の収容物Ｓ１と薬剤の使用上の注意事項や使用方法が記載された書類等である収容物Ｓ２を容易に包装することができる。そして、輸送時に破損しやすい収容物Ｓ１は、収容物ホルダ１２Ｂに装着されているので、どの方向から衝撃が加わっても緩衝的に保護される。しかも、収容物ホルダ１２Ｂは、片方の側端部が外箱１２Ａに連続し、反対側の側端部が外箱１２Ａの角部にガイドされており、輸送される時に外箱１２Ａの中で大きく動かないので、非常に安全性が高い。
【００３６】
使用者が収容物ホルダ付き包装箱１０の蓋部を開封する時は、外箱側面板１６の押圧部４４を指で押し込んでＵ字状の開封用破断線４２を破断させ、蓋片５８及び差し込み片６２を摘んで引き上げる。このとき、係合片４０及び押圧部４４は、外箱側面板１６から分離するが、差し込み片６２に係合したまま一緒に移動するので、ゴミにならない。そして、サイドフラップ３２，５０を引き上げると、図７に示すように蓋部が開放する。
【００３７】
収容物Ｓ２は、収容物Ｓ２の上端部を摘まんで引き上げれば外箱１２Ａから簡単に取り出すことができる。収容物Ｓ２は、収容物ホルダ１２Ｂに装着した状態で外箱１２Ａから取り出すとよい。例えば、収容物ホルダ１２Ｂの上端部分７８ａを摘まんで引き上げると、収容物分離用破断線８２が破断し、収容物ホルダ１２Ｂが外箱１２Ａから分離するので、簡単に取り出すことができる。
【００３８】
収容物ホルダ１２Ｂは、収容物Ｓ１にコンパクトに装着されるので、収容物Ｓ１を鞄やポケットに入れて携行するのに便利であり、収容物Ｓ１を緩衝的に保護することができる。また、収容物ホルダ１２Ｂは、平坦面に縦置きすれば自立する構造であり、デザイン性にも優れているので、収容物Ｓ１を家や事務所等の棚に置いて保管する時、部屋の雰囲気を妨げることはない。
【００３９】
使用後の外箱１２Ａを廃棄する時は、外箱１２Ａを解体する操作を行う。まず、外箱側面板１６の押圧部４８を指で押し込んで円弧状の解体用破断線４６を破断させ、底片６８及び差し込み片７２を摘んで引き上げる。このとき、押圧部４８は、外箱側面板１６から分離するが、差し込み片７２に糊付けされて差し込み片７２と一緒に移動する。そして、サイドフラップ３６，５４を引き上げて底部を開放すると、外箱１２Ａを薄く折り畳むことができ、コンパクトに廃棄することができる。
【００４０】
以上説明したように。収容物ホルダ付き包装箱１０は、１枚の箱体形成片１２から形成されるので、組み立てが容易であり、部材管理の手間も軽減される。また、外箱１２Ａ内の収容物ホルダ１２Ｂが緩衝機能を有しているので、輸送中にバイアル等の収容物Ｓ１が破損しにくい。
【００４１】
収容物の使用者は、収容物ホルダ分離用破断線８２を破断させることによって、収容物ホルダ１２Ｂを外箱１２Ａから簡単に取り出すことができ、収容物Ｓ１を収容物ホルダ１２Ｂに装着してコンパクト且つ安全に携帯することができる。
【００４２】
なお、本考案の収容物ホルダ付き包装箱は、上記実施形態に限定されるものではない。収容物ホルダの構成は、上記の収容部ホルダ１２Ｂの構成に限定されず、第一の補助折罫線８８，９０は、必要に応じて省略することができる。また、特許文献１に記載されている緩衝機能付き包装体のような構成（第一及び第二の実施形態、その他の変形例）に変更することも可能である。
【００４３】
また、上記の外箱１２Ａと収容物ホルダ１２Ｂは、外箱１２Ａの糊付け片２２の先端部と、収容物ホルダ１２Ｂの主折罫線８６のある側端部とで連続しているが、他の部位同士で連続させてもよい。ただし、外箱と収容物ホルダが連続する位置は、収容物ホルダ分離用破断線を設ける位置になるので、収容物ホルダを外箱から取り出す時、収容物ホルダ分離用破断線が破断させやすい位置に配置されるように注意する。
【００４４】
その他、外箱の底部や蓋部の構造は自由に変更することができ、外箱及び収容物ホルダの大きさや形状、箱体形成片の素材についても、収容物の種類に応じて適宜設定することができる。
【符号の説明】
【００４５】
１０  収容物ホルダ付き包装箱
１２  箱体形成片
１２ａ  外箱形成部
１２Ａ  外箱
１２ｂ  収容物ホルダ形成部
１２Ｂ  収容物ホルダ
１４  ，１６，１８，２０  外箱側面板
２２  糊付け片
７６  第二の側面板
７８  第一の側面板
８０  支持板
８２  収容物ホルダ分離用破断線
８４，８６  主折罫線
８８，９０  第一の補助折罫線
９２，９４  副折罫線
９６  第一の糊付け部
９８  第二の糊付け部
１００  収容物支持部
１０２，１０４，１０６  糊
Ｓ１，Ｓ２  収容物
【図１】
0003218045.tif 000003
【図２】
0003218045.tif 000004
【図３】
0003218045.tif 000005
【図４】
0003218045.tif 000006
【図５】
0003218045.tif 000007
【図６】
0003218045.tif 000008
【図７】
0003218045.tif 000009
【図８】
0003218045.tif 000010
【手続補正書】
【提出日】平成30年7月18日(2018.7.18)
【手続補正１】
【補正対象書類名】明細書
【補正対象項目名】０００６
【補正方法】変更
【補正の内容】
【０００６】
本考案は、収容物ホルダ分離用破断線を介して互いに連続する外箱形成部と収容物ホルダ形成部とを備えた１枚の箱体形成片から成り、前記外箱形成部には、互いに平行に連接された複数の外箱側面板と、前記複数の外箱側面板の中の片端に位置する外箱側面板の端部に延設された糊付け片とが設けられ、前記収容物ホルダ形成部には、一列に連接された第一の側面板、第二の側面板、及び支持板が設けられ、前記収容物ホルダ形成部の３つの板は、互いに平行な２つの主折罫線で区切られ、前記支持板の内側は、前記主折罫線と平行な２つの副折罫線によって、両端に位置する第一の糊付け部及び第二の糊付け部と、これらに挟まれた収容物支持部とに区切られ、
組み立て状態で、外箱形成部は、前記糊付け片が前記複数の外箱側面板の中の１つの裏面に糊付けされ、前記複数の外箱側面板で外箱の側面となる筒体を形成し、前記収容物ホルダ形成部は、前記２つの主折罫線が折り曲げられて、前記第一の側面板、前記支持板、前記第二の側面板の順に重なって前記筒体に中に納まり、前記第一の糊付け部が前記第一の側面板に糊付けされ、前記第二の糊付け部が前記第二の側面板に糊付けされて収容物ホルダを形成し、
前記収容物ホルダの前記２つの主折罫線を接近させて前記第一及び第二の側面板を各々外向きに湾曲させる操作により前記２つの副折罫線が折れ曲がり、前記収容物支持部が前記第一及び第二側面板と交差する位置に移動することによって、前記収容物支持部の上方に、前記第一及び第二の側面板と前記収容物支持部とで囲まれた収容空間が形成され、中に収容物を入れることができ、前記収容物ホルダは、前記収容物ホルダ分離用破断線を破断させることによって、前記外箱の外に取り出すことができる収容物ホルダ付き包装箱である。
【手続補正２】
【補正対象書類名】明細書
【補正対象項目名】００３０
【補正方法】変更
【補正の内容】
【００３０】
次に、作業者が、折り畳み状態の収容物ホルダ１２Ｂを立体的に変形させて収容物Ｓ１を収容する操作を行う。まず、収容物ホルダ１２Ｂの２つの主折罫線８４，８６を接近させるように力を加え、第一及び第二の側面板７８，７６を各々外向きに湾曲させる操作を行う。すると、第一の補助折罫線８８，９０が自動的に折れ曲がり（両方とも正折り）、第一及び第二の側面板７８，７６がスムーズに断面平行四辺形状に湾曲する。また、副折罫線９２，９４も自動的に折れ曲がり（副折罫線９２が正折り、副折罫線９４が逆折り）、収容物支持部１００が第一及び第二の側面板７８，７６に対して交差する位置に移動する。
【手続補正３】
【補正対象書類名】実用新案登録請求の範囲
【補正対象項目名】請求項１
【補正方法】変更
【補正の内容】
【請求項１】
収容物ホルダ分離用破断線を介して互いに連続する外箱形成部と収容物ホルダ形成部とを備えた１枚の箱体形成片から成り、
前記外箱形成部には、互いに平行に連接された複数の外箱側面板と、前記複数の外箱側面板の中の片端に位置する外箱側面板の端部に延設された糊付け片とが設けられ、
前記収容物ホルダ形成部には、一列に連接された第一の側面板、第二の側面板、及び支持板が設けられ、前記収容物ホルダ形成部の前記３つの板は、互いに平行な２つの主折罫線で区切られ、前記支持板の内側は、前記主折罫線と平行な２つの副折罫線によって、両端に位置する第一の糊付け部及び第二の糊付け部と、これらに挟まれた収容物支持部とに区切られ、
組み立て状態で、
外箱形成部は、前記糊付け片が前記複数の外箱側面板の中の１つの裏面に糊付けされ、前記複数の外箱側面板で外箱の側面となる筒体を形成し、
前記収容物ホルダ形成部は、前記２つの主折罫線が折り曲げられて、前記第一の側面板、前記支持板、前記第二の側面板の順に重なって前記筒体に中に納まり、前記第一の糊付け部が前記第一の側面板に糊付けされ、前記第二の糊付け部が前記第二の側面板に糊付けされて収容物ホルダを形成し、
前記収容物ホルダの前記２つの主折罫線を接近させて前記第一及び第二の側面板を各々外向きに湾曲させる操作により前記２つの副折罫線が折れ曲がり、前記収容物支持部が前記第一及び第二側面板と交差する位置に移動することによって、前記収容物支持部の上方に、前記第一及び第二の側面板と前記収容物支持部とで囲まれた収容空間が形成され、中に収容物を入れることができ、
前記収容物ホルダは、前記収容物ホルダ分離用破断線を破断させることによって、前記外箱の外に取り出すことができることを特徴とする収容物ホルダ付き包装箱。